(57)【要約】  【課題】  複数の画像を容易に関連付けることが可能な画像表示方法を提供する。  【解決手段】  パーソナルコンピュータは、画像の一部の領域に他の画像を注釈として付与して、それらの関連を記録する機能を有し、関連付けに際して、２つの表示領域(61,62)を含む画面(60)を表示する。一方の表示領域(61)には注釈を付与する画像(61a)を表示し、他方の表示領域(62)には、画像(61a)と同じフォルダに収容されている他の画像(62a)を並べて表示する。表示領域(61)に表示する画像(61a)としては撮影日時の最も古いものを選択するが、使用者が画像(61a)を変更することも可能である。使用者は、画像(61a)上に注釈を付与する領域を設定し、注釈とする画像を表示領域(62)の画像(62a)の中から選択する。【選択図】      図１３
2006135607.tif 000002
【特許請求の範囲】
【請求項１】
画像表示方法において、
主要画像表示部と関連画像表示部とを含む表示画面を設定し、
所定のフォルダまたは使用者によって指定されたフォルダに収容されている画像のうち、所定の条件に適合する画像を自動的に主要画像とし、他の画像を関連画像として、主要画像を主要画像表示部に表示し、関連画像を関連画像表示部に並べて表示する
ことを特徴とする画像表示方法。
【請求項２】
表示している主要画像のうちの一部の領域を指定する入力を受け付け、指定された領域を表示している主要画像に表すことを特徴とする請求項１に記載の画像表示方法。
【請求項３】
表示している関連画像のうちのいずれかを指定する入力を受け付けて、主要画像の指定された領域と指定された関連画像とが関連していることを示す情報を記録することを特徴とする請求項２に記載の画像表示方法。
【請求項４】
表示している関連画像のうちのいずれかを指定する入力を受け付けて、主要画像と指定された関連画像とが関連していることを示す情報を記録することを特徴とする請求項１に記載の画像表示方法。
【請求項５】
フォルダに収容されている画像の中で生成日時が最も古いことを前記所定の条件とすることを特徴とする請求項１から請求項４までのいずれか１項に記載の画像表示方法。
【請求項６】
フォルダに収容されている画像の中で像倍率が最も小さいことを前記所定の条件とすることを特徴とする請求項１から請求項４までのいずれか１項に記載の画像表示方法。
【請求項７】
コンピュータに画像を表示させるプログラムにおいて、
主要画像表示部と関連画像表示部とを含む表示画面を設定する処理と、
所定のフォルダまたは使用者によって指定されたフォルダに収容されている画像のうち、所定の条件に適合する画像を主要画像とし、他の画像を関連画像とする処理と、
主要画像を主要画像表示部に表示し、関連画像を関連画像表示部に並べて表示する処理
をコンピュータに実行させることを特徴とするプログラム。
【請求項８】
フォルダに収容されている画像の中で生成日時が最も古いことを前記所定の条件とすることを特徴とする請求項７に記載のプログラム。
【請求項９】
フォルダに収容されている画像の中で像倍率が最も小さいことを前記所定の条件とすることを特徴とする請求項７に記載のプログラム。
【請求項１０】
撮影した画像をフォルダに収容するとともに、フォルダに収容している画像を表示するデジタルカメラにおいて、
主要画像表示部と関連画像表示部とを含む表示画面を設定し、
所定のフォルダまたは使用者によって指定されたフォルダに収容されている画像のうち、所定の条件に適合する画像を自動的に主要画像とし、他の画像を関連画像として、主要画像を主要画像表示部に表示し、関連画像を関連画像表示部に並べて表示することを特徴とするデジタルカメラ。
【請求項１１】
フォルダに収容されている画像の中で生成日時が最も古いことを前記所定の条件とすることを特徴とする請求項１０に記載のデジタルカメラ。
【請求項１２】
フォルダに収容されている画像の中で像倍率が最も小さいことを前記所定の条件とすることを特徴とする請求項１０に記載のデジタルカメラ。
【発明の詳細な説明】
【技術分野】
【０００１】
本発明は、複数の画像を関連付けるための画像表示方法、ならびに、その画像表示方法を採用するコンピュータプログラムおよびデジタルカメラに関する。
【背景技術】
【０００２】
デジタルカメラで撮影した画像の一部の領域に注釈を付与して、画像が有する情報伝達の機能を高めることが提案されている（例えば、特許文献１参照）。
【特許文献１】特開２００４−１８０１８１号公報
【０００３】
注釈としては音声や文字が用いられていたが、近年では、画像を注釈として用いることも行われている。どの注釈をどの画像のどの領域に付与するかは、使用者が撮影に際してデジタルカメラで指定するか、または、撮影後、画像をパーソナルコンピュータに伝送して、パーソナルコンピュータ上で指定する。どの注釈がどの画像のどの領域に付与されたものであるかを後に利用できるようにするために、それらの情報を記録しておく。
【０００４】
画像の撮影に際して、構図等の設定の参考に供するために、既に撮影した画像を表示するようにしたデジタルカメラも提案されている。参考のために表示する画像は、デジタルカメラ上で使用者によって指定される。画像の分類整理の便宜のために、どの画像の撮影に際してどの画像を参考にしたかを示す情報を記録しておくようにすることもできる。また、その情報を撮影時には記録せず、後にデジタルカメラまたはパーソナルコンピュータで作成することも可能である。
【発明の開示】
【発明が解決しようとする課題】
【０００５】
注釈を付与した画像とその領域と注釈とを指定するためには何段階かの操作を行う必要がある。具体的には、使用者は、まず、デジタルカメラまたはパーソナルコンピュータに画像を収容したフォルダ名を表示させて、いずれかのフォルダを選択し、選択したフォルダに収容されている画像のファイル名を表示させて、いずれかの画像を選択し、選択した画像を表示させて、その中の一部の領域を指定する。さらに、フォルダ名を表示させてフォルダを選択し、ファイル名を表示させて注釈を選択する。このため、画像とその領域と注釈を指定するには時間を要し、特に、一度に多くの画像と注釈の関係を示す情報を生成する場合は、使用者にとって煩雑な作業となる。
【０００６】
既存の画像を参考にして撮影した画像と参考にした画像の関係を示す情報を後に生成する場合も、それらの画像を指定するために、フォルダ名の表示と選択およびファイル名の表示と選択を、各画像について行う必要がある。したがって、やはり、画像の指定に時間を要し、煩雑な作業になり易い。
【０００７】
本発明は、このような問題点に鑑みてなされたもので、複数の画像を容易に関連付けることが可能な画像表示方法を提供することを目的とし、また、そのような画像表示方法を採用したコンピュータプログラムおよびデジタルカメラを提供することを目的とする。
【課題を解決するための手段】
【０００８】
上記目的を達成するために、本発明では、画像表示方法は、主要画像表示部と関連画像表示部とを含む表示画面を設定し、所定のフォルダまたは使用者によって指定されたフォルダに収容されている画像のうち、所定の条件に適合する画像を自動的に主要画像とし、他の画像を関連画像として、主要画像を主要画像表示部に表示し、関連画像を関連画像表示部に並べて表示するものとする。
【０００９】
この方法では、画像を所定のフォルダに収容するか、あるいは、画像を収容したフォルダを指定するだけで、自動的に主要画像が定められて、表示画面のうちの主要画像表示部に表示される。したがって、使用者は主要画像を指定する必要がない。また、主要画像表示部と同一の表示画面に関連画像表示部を設けて、ここに主要画像以外の画像を並べて表示するので、主要画像と共に他の画像を同時に見ることが可能である。しかも、主要画像表示部と関連画像表示部は異なるので、主要画像と他の画像を区別することができる。
【００１０】
ここで、表示している主要画像のうちの一部の領域を指定する入力を受け付け、指定された領域を表示している主要画像に表すようにするとよい。このようにすると、画像の一部の領域を指定し、指定した領域を確認することが容易になる。
【００１１】
さらに、表示している関連画像のうちのいずれかを指定する入力を受け付けて、主要画像の指定された領域と指定された関連画像とが関連していることを示す情報を記録するようにすることができる。この方法では、指定された関連画像を注釈として、主要画像の一部の領域に付与することが可能になる。
【００１２】
表示している関連画像のうちのいずれかを指定する入力を受け付けて、主要画像と指定された関連画像とが関連していることを示す情報を記録するようにすることもできる。この方法では、主要画像を参考のために表示した画像とし、指定された関連画像を主要画像を参考にして撮影した画像とすることが可能になる。また、指定された関連画像を注釈として、主要画像の全体に付与することもできる。
【００１３】
フォルダに収容されている画像の中で生成日時が最も古いことを前記所定の条件とするとよい。注釈を付与する画像や参考のために表示する画像は、通常、注釈としての画像や表示された画像を参考にして撮影した画像よりも古いから、このようにすることで、主要画像として適切なものが選ばれるようになる。
【００１４】
フォルダに収容されている画像の中で像倍率が最も小さいことを前記所定の条件としてもよい。注釈としての画像は、注釈を付与する画像の一部を拡大して撮影したものであることが多いから、このようにすることで、主要画像に注釈を付与するときに、主要画像として適切なものが選ばれるようになる。
【００１５】
前記目的を達成するために、本発明ではまた、コンピュータに画像を表示させるプログラムは、主要画像表示部と関連画像表示部とを含む表示画面を設定する処理と、所定のフォルダまたは使用者によって指定されたフォルダに収容されている画像のうち、所定の条件に適合する画像を主要画像とし、他の画像を関連画像とする処理と、主要画像を主要画像表示部に表示し、関連画像を関連画像表示部に並べて表示する処理をコンピュータに実行させるものとする。
【００１６】
このプログラムに従って動作するコンピュータでは、画像を所定のフォルダに収容するか、あるいは、画像を収容したフォルダを指定するだけで、自動的に主要画像が定められて、表示画面のうちの主要画像表示部に表示される。したがって、使用者は主要画像を指定する必要がない。また、主要画像以外の画像が関連画像表示部に表示されるため、主要画像と共に他の画像を同時に見ることが可能であり、主要画像と他の画像を区別することもできる。
【００１７】
前記目的を達成するために、本発明ではさらにまた、撮影した画像をフォルダに収容するとともに、フォルダに収容している画像を表示するデジタルカメラは、主要画像表示部と関連画像表示部とを含む表示画面を設定し、所定のフォルダまたは使用者によって指定されたフォルダに収容されている画像のうち、所定の条件に適合する画像を自動的に主要画像とし、他の画像を関連画像として、主要画像を主要画像表示部に表示し、関連画像を関連画像表示部に並べて表示するものとする。
【００１８】
このデジタルカメラでは、画像を所定のフォルダに収容するか、あるいは、画像を収容したフォルダを指定するだけで、自動的に主要画像が定められて、表示画面のうちの主要画像表示部に表示される。したがって、使用者は主要画像を指定する必要がない。また、主要画像以外の画像が関連画像表示部に表示されるため、主要画像と共に他の画像を同時に見ることが可能であり、主要画像と他の画像を区別することもできる。
【００１９】
上記のプログラムやデジタルカメラにおいても、フォルダに収容されている画像の中で生成日時が最も古いことを前記所定の条件とすることができる。また、フォルダに収容されている画像の中で像倍率が最も小さいことを前記所定の条件とすることもできる。
【発明の効果】
【００２０】
本発明によれば、関連付ける一方の画像が自動的に選択されるので、画像を指定する操作が軽減される。また、関連付ける一方の画像と他の画像を同時に、かつ、区別して表示することができるので、他の画像の選択も容易である。したがって、画像の関連付けを能率よく行うことが可能である。
【発明を実施するための最良の形態】
【００２１】
以下、本発明の実施形態について図面を参照しながら説明する。第１の実施形態であるデジタルカメラ１の外観を図１に模式的に示す。図１において、（ａ）は斜め前方からの斜視図、（ｂ）は背面図である。デジタルカメラ１は、前面に、内蔵の撮像素子（図２参照）に撮影対象からの光を導く撮像レンズ１１、光学ファインダ前窓１２ａ、セルフタイマーランプ１３、フラッシュ発光部１４を有し、側面に、着脱可能な記録媒体であるメモリカードＭを装着するカードスロット１５、ＵＳＢ／ＡＶ出力端子１６を有する。また、上面に、シャッターレリーズボタン１７、電源ボタン１８、背面に、光学ファインダ後窓１２ｂ、液晶パネルから成る表示部１９を有する。撮像レンズ１１はズームレンズである。
【００２２】
デジタルカメラ１は、画像を撮影しながら撮影した画像を直ちに表示部１９に表示してライブビューを提供することが可能であり、表示部１９はビューファインダーとして機能する。レリーズボタン１７が操作された直後に撮影された画像は、画像ファイルとして、半導体メモリを内蔵した着脱可能なメモリカードＭに記録される。その画像はアフタービューとして表示部１９に少時表示される。また、メモリカードＭに記録されている画像ファイルの画像は、表示部１９に再生表示することができる。なお、メモリカードＭに記録される画像ファイルのタグ（ヘッダ）には、その画像の撮影日時、撮像倍率、露光条件、撮影モード等の撮影に関する情報が記録される。
【００２３】
デジタルカメラ１は、通常の撮影を行う通常撮影モードに加え、アノテーション撮影モード、および、ガイド撮影モードを有する。アノテーション撮影モードは、既に撮影してメモリカードＭに画像ファイルを記録している画像の一部の領域に、注釈として画像を付与するものである。領域を指定した直後に撮影した画像がその領域の注釈となる。また、ガイド撮影モードは、画像の撮影に際して、既に撮影してメモリカードＭに画像ファイルを記録している画像を表示部１９に表示して、新たな画像の撮影の参考にするものである。
【００２４】
デジタルカメラ１の背面には、これらの３つのモードを指定するための通常撮影ボタン２３、アノテーション撮影ボタン２４、ガイド撮影ボタン２５が設けられている。また、ズームレンズである撮像レンズ１１の焦点距離を指定するためのズームボタン２０、表示部１９に表示した項目を選択するために使用する方向ボタン２１、および、選択の決定を指示するための決定ボタン２２も設けられている。方向ボタン２１は、それぞれ上下左右を指定する上ボタン、下ボタン、左ボタン、右ボタンを含む。
【００２５】
デジタルカメラ１は、前述のように画像ファイルをメモリカードＭに記録するが、メモリカードＭにフォルダを設けておき、画像ファイルをフォルダに収容する。フォルダは使用者が任意に作成することが可能である。使用者は既に作成されているフォルダの中から所望のものを指定する。別のフォルダが指定されるまで、画像ファイルは指定されているフォルダに記録されていく。
【００２６】
アノテーション撮影モードで撮影した注釈としての画像と、その注釈を付与された画像および領域の関連を示した関連付け情報は、画像ファイルのタグに記録する。この関連付け情報は、注釈を付与された画像（親画像という）および注釈としての画像（子画像という）の双方の画像ファイルに記録する。ガイド撮影モードで撮影した画像とその撮影で参考に画像（ガイド画像という）の関連を示した関連付け情報も、画像ファイルのタグに記録する。この関連情報も、双方の画像ファイルに記録する。
【００２７】
なお、アノテーション画像モードで親画像とする画像や、ガイド撮影モードでガイド画像とする画像は、新たに撮影する画像の画像ファイルを収容するために指定されているフォルダに画像ファイルが収容されているものから、使用者が選択する。したがって、アノテーション撮影モードで撮影した画像の画像ファイルやガイド撮影モードで撮影した画像の画像ファイルは、親画像やガイド画像の画像ファイルと同じフォルダに収容される。
【００２８】
デジタルカメラ１の構成を図２に模式的に示す。デジタルカメラ１は、前述の撮影レンズ１１、表示部１９等のほか、撮像素子３１、画像処理部３２、記録部３３、および制御部３５を有する。撮像素子３１は、撮像レンズ１１によって導かれた光を電気信号に変換することで画像を撮影する。画像処理部３２は、撮像素子３１の出力信号を処理して、撮影した画像を表す記録用の画像データと、表示用の画像データを生成する。記録用の画像データは圧縮しておく。記録部３３は、画像データを画像ファイルとしてメモリカードＭに記録し、また、画像の再生表示のために、メモリカードＭから画像ファイルを読み出す。
【００２９】
制御部３５は、ＣＰＵ３５ａおよびメモリ３５ｂを有しており、ＣＰＵ３５ａによりデジタルカメラ１の各部の制御を司る。ＣＰＵ３５ａの制御動作を記したプログラムはメモリ３５ｂに記憶されている。画像の関連付けに関する処理も、メモリ３５ｂに記憶されているプログラムに従ってＣＰＵ３５ａが行う。
【００３０】
操作部２８は、前述のシャッターレリーズボタン１７、電源ボタン１８等の操作部材の総称である。図２では画像の撮影と画像の関連付けに関する操作部材のみを表している。
【００３１】
メモリカードＭ上のフォルダ構成を図３に模式的に示す。「ＦＬＤＲＭＡＩＮ」という名前のフォルダの中に、画像ファイルを記録するためのフォルダ（フォルダ名「ＦＬＤＲ０００１」〜「ＦＬＤＲ０００６」）が作成されており、画像ファイル（ファイル名「ＰＩＣＴ０００１．ＪＰＧ」〜「ＰＩＣＴ０００６．ＪＰＧ」が、２つのフォルダに分けて収容されている。
【００３２】
アノテーション撮影モードで表示部１９に表示する画面の例を図４に示す。図４において、（ａ）は、アノテーション撮影ボタン２４が操作されたときに表示する画面である。この画面には、画像ファイルを収容するフォルダとしてその時点で設定されているフォルダに収容されている全ての画像ファイルの画像が、縮小して並べて表示される。使用者は方向ボタン２１を操作することにより画像を選択し、決定ボタン２２を操作することにより、選択した画像を親画像として指定することができる。なお、選択されている画像には、選択されていることを示すための枠Ｆを表示する。
【００３３】
図４の（ｂ）は、決定ボタン２２の操作により親画像が指定されたときに表示する画面である。この画面には指定された親画像が表示され、親画像に重ねて、注釈を付与する領域を示す枠Ｒが表示される。注釈を付与する領域は、所定の大きさで親画像の中央に設定される。ただし、注釈を付与する領域の大きさおよび位置は、方向ボタン２１および決定ボタン２２の操作により、使用者が任意に変えることができる。図４の（ｃ）は、その様子を表したものである。
【００３４】
図４の（ｄ）は、親画像およびその領域を指定した後、シャッターレリーズボタン１７の操作がなされたときに表示する画面である。この画面には、シャッターレリーズボタン１７の操作に応じて撮影した記録用の画像、すなわち、親画像の注釈とする画像のアフタービューを表示する。
【００３５】
アノテーション撮影モードでの処理の流れを図５に示す。この処理は、アノテーション撮影ボタン２４の操作によって開始される。まず、図４（ａ）に示した親画像を指定するための画面を表示する（ステップ＃１００）。そして、通常撮影モードで撮影した画像の画像ファイルがフォルダに含まれているか否かを判定し（＃１０２）、含まれていなければ処理を終了する。
【００３６】
通常撮影モードで撮影した画像の画像ファイルがフォルダに含まれているときは、方向ボタン２１および決定ボタン２２の操作による親画像の指定を受け付ける（＃１０４）。そして、図４（ｂ）、（ｃ）に示した領域を設定する画面を表示し（＃１０６）、方向ボタン２１および決定ボタン２２の操作による領域の設定を受け付ける（＃１０８）。
【００３７】
その後、シャッターレリーズボタン１７の操作により記録用画像の撮影が指示されたか否かを判定する（＃１１０）。指示がなされないときは、画像を撮影し（＃１１２）、撮影した画像を表示部１９に表示して（＃１１４）、ステップ＃１１０に戻る。ステップ＃１１２、＃１１４を繰り返すことでライブビューが提供される。
【００３８】
記録用画像の撮影の指示がなされたときは、画像を撮影し（＃１１６）、撮影した画像を表示し（＃１１８）、撮影した画像の画像ファイルをメモリカードＭに記録する（＃１２０）。さらに、撮影した画像が親画像の一部の領域の注釈であることを示す関連付け情報を、撮影した画像と親画像の画像ファイルのタグに記録して（＃１２２）、処理を終了する。ステップ＃１１８の表示を少時継続することで、図４（ｄ）に示したようにアフタービューが提供される。
【００３９】
ガイド撮影モードで表示部１９に表示する画面の例を図６に示す。図６において、（ａ）は、ガイド撮影ボタン２５が操作されたときに表示する画面である。この画面には、画像ファイルを収容するフォルダとしてその時点で設定されているフォルダに収容されている全ての画像ファイルの画像が、縮小して並べて表示される。使用者は方向ボタン２１を操作することにより画像を選択し、決定ボタン２２を操作することにより、選択した画像をガイド画像として指定することができる。なお、選択されている画像には、選択されていることを示すための枠Ｆを表示する。
【００４０】
図６の（ｂ）は、ガイド画像を指定した後に表示する画面である。この画面には、ライブビューに重ねて、縮小したガイド画像を表示する。使用者は、ガイド画像を見ながら、新たに撮影する画像の構図等を定めることができる。
【００４１】
ガイド撮影モードでの処理の流れを図７に示す。この処理は、ガイド撮影ボタン２５の操作によって開始される。まず、図６（ａ）に示したガイド画像を指定するための画面を表示する（ステップ＃２００）。そして、通常撮影モードで撮影した画像の画像ファイルがフォルダに含まれているか否かを判定し（＃２０２）、含まれていなければ処理を終了する。
【００４２】
通常撮影モードで撮影した画像の画像ファイルがフォルダに含まれているときは、方向ボタン２１および決定ボタン２２の操作によるガイド画像の指定を受け付ける（＃２０４）。そして、指定されたガイド画像を縮小して表示する（＃２０６）。
【００４３】
その後、シャッターレリーズボタン１７の操作により記録用画像の撮影が指示されたか否かを判定する（＃２０８）。指示がなされないときは、画像を撮影し（＃２１０）、撮影した画像を表示部１９に表示して（＃２１２）、ステップ＃２０８に戻る。ステップ＃２１２の表示では、ガイド画像の表示も継続する。ステップ＃２１０、＃２１２を繰り返すことでライブビューが提供され、その一部にガイド画像が重ねて提供される。
【００４４】
記録用画像の撮影の指示がなされたときは、画像を撮影し（＃２１４）、撮影した画像を表示し（＃２１６）、撮影した画像の画像ファイルをメモリカードＭに記録する（＃２１８）。さらに、撮影した画像がガイド画像を参考にして撮影したものであることを示す関連付け情報を、撮影した画像とガイド画像の画像ファイルのタグに記録して（＃２２０）、処理を終了する。ステップ＃２１６の表示を少時継続することで、アフタービューが提供され、それに重ねて表示されているガイド画像との類否が確認できる。
【００４５】
デジタルカメラ１は、通常撮影モードで撮影した画像を注釈として、通常撮影モードで撮影した他の画像の一部の領域に付与する機能を有する。以下、この機能を、アノテーション後付けという。デジタルカメラは１、また、通常撮影モードで撮影した画像を、通常撮影モードで撮影した他の画像の撮影に際して、参考のために表示した画像とする機能も有する。以下、この機能を、ガイド後付けという。
【００４６】
デジタルカメラ１には、これらの機能を指定するための関連設定ボタン２６が設けられている（図２）。関連設定ボタン２６が操作されると、デジタルカメラ１は、アノテーション後付けとガイド後付けを示すメニュー画面を表示部１９に表示し、使用者は、方向ボタン２１と決定ボタン２２の操作により、いずれかの機能を指定する。
【００４７】
アノテーション後付けを行うときに表示する画面の例を図８に示す。図８において、（ａ）は、この機能が指定されたときに表示する画面である。この画面には、画像ファイルを収容した全てのフォルダの名前と像が並べて表示される。使用者は、方向ボタン２１と決定ボタン２２を操作してフォルダを指定する。
【００４８】
図８の（ｂ）は、いずれかのフォルダが指定されたときに表示する画面である。この画面は、２つの表示領域３９ａ、３９ｂを含んでいる。一方の表示領域３９ａには、指定されたフォルダに収容されている全ての画像ファイルの画像のうち、通常撮影モードで撮影された１つの画像ファイルの画像が表示され、他方の表示領域３９ｂには、通常撮影モードで撮影された残りの画像が、縮小して並べて表示される。
【００４９】
表示領域３９ａに表示する画像Ｐは、親画像とする画像である。この画像は、作成日時が最も古い画像ファイルの画像、すなわち、最も古く撮影された画像である。この画像Ｐの選択はデジタルカメラ１が自動的に行う。また、表示領域３９ｂに表示する画像Ｃの順序は画像ファイルの作成日時の古い順である。
【００５０】
使用者は、デジタルカメラ１が選択した画像以外の画像を親画像としたいときは、方向ボタン２１と決定ボタン２２の操作によって、表示領域３９ｂに表示されているいずれかの画像Ｃを指定する。これにより、指定された画像が領域３９ａに表示され、領域３９ａに表示されていた画像が、領域３９ｂに表示される。
【００５１】
その後、使用者は、表示領域３９ａに表示されている画像に一部の領域を設定し、次いで、表示領域３９ｂに表示されている画像Ｃの中のいずれかを子画像として指定する。表示領域３９ａの画像に領域を設定する操作は、前述の図４（ｂ）、（ｃ）での操作と同様である。表示領域３９ｂの画像の指定は、方向ボタン２１と決定ボタン２２の操作により行う。子画像が指定されると、デジタルカメラ１は、その子画像が親画像の一部の領域に付与されたものであることを示す関連付け情報を作成して、それらの画像ファイルのタグに記録する。
【００５２】
アノテーション後付けの処理の流れを図９に示す。まず、図８（ａ）に示したようにフォルダを並べて表示し（ステップ＃３００）、フォルダの指定を受け付ける（＃３０２）。次いで、指定されたフォルダに通常撮影モードで撮影した画像の画像ファイルが含まれているか否かを判定し（＃３０４）、含まれていなければ処理を終了する。
【００５３】
通常撮影モードで撮影した画像の画像ファイルがフォルダに含まれているときは、親画像とする画像を選択し（＃３０６）、選択した画像を表示領域３９ａに、残りの画像を表示領域３９ｂに表示する（＃３０８）。次いで、親画像とする画像が使用者によって指定されたか否かを判定し（＃３１０）、指定されたときは、親画像とする画像を変更する（＃３１２）。その後、親画像とする画像の領域の指定を受け付け（＃３１４）、子画像とする画像の指定を受け付ける（＃３１６）。そして、指定された子画像が親画像の一部の領域の注釈であることを示す関連付け情報を作成して、親画像の画像ファイルと子画像の画像ファイルのタグに記録し（＃３１８）、処理を終了する。
【００５４】
ここでは撮影日時の最も古い画像を親画像として選択するようにしているが、撮像倍率の最も小さい画像を親画像として選択するようにしてもよい。通常、注釈としての画像は親画像の撮影範囲の一部を拡大して撮影したものであるから、撮影倍率の最も小さい画像を親画像とすることで、適切な選択がなされ易くなる。前述のように、撮像倍率は撮影日時と共に画像ファイルのタグに記録されており、直ちに利用することができる。
【００５５】
ガイド後付けの処理おいても、図８（ａ）に示したように、フォルダを並べて表示し、
使用者が、フォルダを指定する。そして、指定されたフォルダに収容されている画像ファイルの画像を、図８（ｂ）のように、２つの表示領域３９ａ、３９ｂに表示する。この場合、表示領域３９ａにガイド画像とする画像を表示し、表示領域３９ｂに他の画像を並べて表示する。ガイド後付けの処理は、画像の一部の領域の指定（ステップ＃３１４）を省略することを除き、図９に示したアノテーション後付けの処理と同様である。
【００５６】
なお、アノテーション後付けやガイド後付けにおいて、使用者がフォルダを指定することに代えて、画像ファイルを収容するフォルダとしてその時点で設定されているフォルダを、デジタルカメラ１が自動的に選択するようにしてもよい。この場合、ステップ＃３００、＃３０２は省略する。
【００５７】
本実施形態のデジタルカメラ１は、アノテーション撮影モードとガイド撮影モードを備えているが、アノテーション後付けの機能とガイド後付けの機能は、これらの撮影モードを持たないデジタルカメラにも適用することができる。
【００５８】
第２の実施形態であるパーソナルコンピュータ２の外観を図１０に模式的に示す。パーソナルコンピュータ２は、演算を行うＣＰＵ、および情報を記憶するメモリ、ハードディスク等の記憶媒体を内蔵した本体４１と、画像、文字等の諸情報を表示する表示部４２とを有する。本体４１には着脱可能なメモリカードＭを装着するカードスロットが設けられている。また、図示しないが、本体４１には、入力操作に使用されるキーボードおよびマウスが接続されている。
【００５９】
パーソナルコンピュータ２の構成を図１１に模式的に示す。パーソナルコンピュータ２は、ＣＰＵを含む制御部４３、マウス、キーボード等を含む操作部４４、半導体メモリ、ハードディスク等の記憶媒体を含む記憶部４５、メモリカードＭの入出力を行う入出力部４６、および、ケーブルを介して外部の機器と接続するための接続部４７を有する。記憶部４５には、パーソナルコンピュータ２の制御を記したプログラムのほか、パーソナルコンピュータ２が行う画像処理を記したプログラムも記憶されている。制御部４３のＣＰＵは、それらのプログラムに従って処理を行う。記憶部４５にはまた、画像も記憶される。記憶部４５に記憶する画像は、第１の実施形態のデジタルカメラ１または他のデジタルカメラから、メモリカードＭまたはケーブルを介して提供される。
【００６０】
パーソナルコンピュータ２は、ケーブルを介して接続されたデジタルカメラ１または他のデジタルカメラに装着されているメモリカードＭおよびカードスロットに装着されたメモリカードＭから画像ファイルを取り込んで、記憶部４５に記憶する機能を有する。記憶部４５に記憶している画像ファイルは、表示部４２に表示したり、編集したりすることができる。
【００６１】
アノテーション撮影モードで撮影された注釈としての画像が付与されている画像を再生表示する際には、注釈が付与された領域を示すための枠を重ねて表示する。さらに、操作部１４の操作に応じて、注釈である画像も表示する。また、ガイド撮影モードで撮影された画像を再生表示する際には、参考として用いた画像も表示する。
【００６２】
パーソナルコンピュータ２は、デジタルカメラ１によって設定されている親画像と子画像の対応関係を変更する機能、および、新たに親画像と子画像を設定する機能、すなわちアノテーション後付けの機能を有する。また、デジタルカメラ１によって設定されているガイド画像とガイド画像を参考にして撮影した画像の対応関係を変更する機能、および、ガイド画像とガイド画像を参考にして撮影した画像の対応関係を新たに設定する機能、すなわちガイド後付けの機能も有する。
【００６３】
これらの機能に関してパーソナルコンピュータ２が表示部４２に最初に表示する画面であるメインウインドウを図１２に示す。メインウインドウ５０には、デバイスおよびフォルダの関係をツリー形式で表したフォルダツリー５１ａを表示するツリー表示領域５１、および、フォルダツリー５１ａ内の指定されたデバイスまたはフォルダに含まれるフォルダ５２ａおよびファイルを表示するフォルダ・ファイル表示領域５２を有する。
【００６４】
また、メインウインドウ５０には、アノテーションウインドウボタン５３とガイドウインドウボタン５４が表示される。アノテーションウインドウボタン５３は、親画像と子画像の対応関係を変更したり、アノテーション後付けを行ったりするためのアノテーションウインドウの表示を指示するボタンである。ガイドウインドウボタン５４は、ガイド画像とガイド画像を参考にして撮影した画像との対応関係を変更したり、ガイド後付けを行ったりするためのガイドウインドウの表示を指示するためのボタンである。
【００６５】
アノテーションウインドウ６０を図１３に示す。アノテーションウインドウ６０は、親画像または親画像とする画像６１ａを表示する親画像表示領域６１、画像６１ａ以外の画像６２ａを表示する対照画像表示領域６２を有する。親画像が既に設定されている場合、撮影日時の最も古い親画像が親画像表示領域６１に表示される。親画像が設定されていない場合、撮影日時の最も古い画像が親画像表示領域６１に表示される。対照画像表示領域６２に表示する画像の順序は、撮影日時の古い順である。
【００６６】
アノテーションウインドウ６０には、また、親画像指定ボタン６３が表示される。親画像指定ボタン６３は、親画像を指定する処理を行う親画像指定ダイアログボックスを表示するために用いられる。親画像指定ダイアログボックスではフォルダ内のファイル名が表示され、使用者は親画像とする画像のファイル名を指定する。ここでファイル名が指定されると、その画像が親画像表示領域６１に表示され、それまで親画像表示領域６１に表示されていた画像は、対照画像表示領域６２に表示される。
【００６７】
対照画像表示領域６２に表示する画像６２ａは、親画像表示領域６１に表示されている親画像６１ａに注釈として付与されているか否かによって、異なる態様で表される。その例を図１４に示す。この例では、対照画像表示領域６２内の最も上の画像が既に注釈とされているときのものである。
【００６８】
対照画像表示領域６２には、また、各画像６２ａに対応して、チェックボックス６２ｂが表示される。このチェックボックス６２ｂは、画像６２ａが親画像６１ａのどの領域に付与されたものであるかを調べるために使用される。マウスによるチェックボックス６２ａの操作（クリック）でチェックが表示されると、対応する画像６２ａが注釈として付与されている領域を示す枠が親画像６１ａに表示される。図１４はこの様子も表しており、親画像６１ａに重ねて領域の枠Ｒが表示されている。
【００６９】
親画像６１ａに領域の枠Ｒが表示されているとき、使用者は、マウスまたはキーボードの操作によって、その領域の位置および大きさを変更することができる。変更後は、チェックボックス６２ａの操作により、チェックを除いて、枠Ｒの表示を消す。
【００７０】
対照画像表示領域６２の画像６２ａのうち、親画像６１ａに注釈として付与されていないもののチェックボックス６２ｂを操作することで、その画像を親画像表示領域６１の画像６１ａに付与した注釈とすることができる。この場合、親画像６１ａの全体が注釈を付与した領域とされ、領域の枠Ｒが親画像６１ａ全体に相当する大きさで表示される。ただし、上述のように、使用者は領域の位置と大きさを変更することが可能である。また、対照画像表示領域６２のいずれかの画像６２ａに対応するチェックボックス６２ｂにチェックが表示されている状態（このとき、その画像６２ａは親画像６１ａの注釈となっている）では、キーボードの操作により、その画像を注釈から除くことができる。
【００７１】
親画像６１ａに新たに注釈が付与されたときは、関連付け情報を作成して、画像ファイルのタグに記録し、領域の位置や大きさが変更されたときは、画像ファイルのタグに記録されている関連付け情報を更新する。また、親画像６１ａに付与されていた注釈が除かれたときは、画像ファイルから関連付け情報を削除する。
【００７２】
親画像と子画像の対応関係の変更およびアノテーション後付けの処理の流れを図１５に示す。まず、アノテーションウインドウ６０を表示する（ステップ＃４００）。そして、メインウインドウ５０で指定されたフォルダに画像ファイルが収容されているか否かを判定し（＃４０２）、画像ファイルが収容されていなければ処理を終了する。
【００７３】
フォルダに画像ファイルが収容されているときは、最も撮影日時の古い画像を親画像とする画像として選択し（＃４０４）、その画像を親画像表示領域６１に表示し、他の画像を対照画像表示領域６２に表示する（＃４０６）。そして、親画像指定ダイアログボックスを介して親画像とする画像が指定されたか否かを判定し（＃４０８）、指定されたときは、親画像とする画像を指定されたものに変更する（＃４１０）。
【００７４】
次いで、チェックボックス６２ｂの操作により、対照画像表示領域６２のいずれかの画像が子画像として指定されたか否かを判定し（＃４１２）。指定されないときはステップ＃４０８に戻る。子画像とする画像が指定されたときは、その画像が、親画像表示領域６１の画像に注釈として新たに付与するものであるか、既に付与されているものであるかを判定する（＃４１４）。そして、新たに付与する画像のときは、対照画像表示領域６２の指定された画像が、親画像表示領域６１の画像全体に付与された注釈であることを示す関連付け情報を作成して、それらの画像の画像ファイルに記録する（＃４１６）。
【００７５】
その後、関連付け情報に基づいて、親画像表示領域６１の画像に領域を示す枠Ｒを重ねて表示する（＃４１８）。続いて、マウス等の操作で領域の位置および大きさが指定されたか否かを判定し（＃４２０）、指定されたときは領域を変更して（＃４２２）、関連付け情報を更新し（＃４２４）、ステップ＃４０８に戻る。
【００７６】
ステップ＃４２０の判定で領域の指定がなされないときは、キーボードの操作により、対照画像表示領域６２の指定された画像を注釈から除く指示がなされたか否かを判定する（＃４２６）。その指示がなされないときはステップ＃４０８に戻り、その指示がなされたときは、関連付け情報を画像ファイルから削除して（＃４２８）、ステップ＃４０８に戻る。
【００７７】
ステップ＃４０８〜＃４２８の処理を繰り返すことにより、親画像と子画像の対応関係の変更や、新たな設定（アノテーション後付け）を連続して行うことができる。なお、この処理はアノテーションウインドウ６０を閉じることで終了する。
【００７８】
ここでは、親画像表示領域６１に最初に表示する画像として、最も古く撮影された画像を選択するようにしているが、撮像倍率の最も小さい画像を親画像表示領域６１に最初に表示するようにしてもよい。前述のように、通常、注釈としての画像は親画像の撮影範囲の一部を拡大して撮影したものであるから、撮影倍率の最も小さい画像を親画像とすることで、適切な選択がなされ易くなる。
【００７９】
ガイドウインドウ７０を図１６に示す。ガイドウインドウ７０はガイド画像またはガイド画像とする画像７１ａを表示するガイド画像表示領域７１と、画像７１ａ以外の画像７２ａを表示する対照画像表示領域７２を有する。ガイド画像が既に設定されている場合、撮影日時の最も古いガイド画像がガイド画像表示領域７１に表示される。ガイド画像が設定されていない場合、撮影日時の最も古い画像がガイド画像表示領域７１に表示される。ガイド画像表示領域７１に表示している画像７１ａが既に設定されているガイド画像の場合、対照画像表示領域７２には、その画像７１ａを参考にして撮影した画像のうち、撮影日時の最も古いものが表示される。また、ガイド画像表示領域７１に表示している画像７１ａがガイド画像でない場合、対照画像表示領域７２には、画像７１ａの次に撮影日時の古い画像が表示される。
【００８０】
ガイド画像表示領域７１には画像７１ａのほか、前画像ボタン７１ｂ、次画像ボタン７１ｃも表示され、対照画像表示領域７２には画像７２ａのほか、前画像ボタン７２ｂ、次画像ボタン７２ｃも表示される。これらのボタン７１ｂ、７１ｃ、７２ｂ、７２ｃは、ガイド画像表示領域７１または対照画像表示領域７２に表示する画像の切り替えの指示に用いられ、各ボタンが操作（クリック）されるごとに、撮影日時のより古い画像またはより新しい画像が表示される。
【００８１】
また、ガイドウインドウ７０には、設定ボタン７３と解除ボタン７４も表示される。設定ボタン７３は、ガイド画像表示領域７１の画像７１ａを対照画像表示領域７２の画像７２ａのガイド画像とする指示、つまりガイド後付けの指示のために用いられる、また、解除ボタン７４は、画像７１ａを画像７２ａのガイド画像としない指示、つまり両画像の関連付けの解除の指示のために用いられる。設定ボタン７３が操作されると、画像７１ａと画像７２ａの関連を示す関連付け情報が作成されて、それらの画像ファイルのタグに記録される。また、解除ボタン７４が操作されると、画像７１ａと画像７２ａの画像ファイルから関連付け情報が削除される。
【００８２】
設定ボタン７３は、画像７１ａが画像７２ａのガイド画像であるか否かによって異なる態様で表示され、画像７１ａが画像７２ａのガイド画像であるときには操作できない。解除ボタン７４は、画像７１ａが画像７２ａの画像のガイド画像であるか否かによって異なる態様で表示され、画像７１ａが画像７２ａのガイド画像でないときには操作できない。使用者は、ボタン７３、７４の表示態様によって、ガイド画像表示領域７１の画像７１ａが対照画像表示領域７２の画像７２ａのガイド画像であるか否かを知ることができる。
【００８３】
ガイド画像とガイド画像を参考にして撮影した画像の対応関係の変更およびガイド後付けの処理の流れを図１７に示す。まず、ガイドウインドウ７０を表示する（ステップ＃５００）。そして、メインウインドウ５０で指定されたフォルダに画像ファイルが収容されているか否かを判定し（＃５０２）、画像ファイルが収容されていなければ処理を終了する。
【００８４】
フォルダに画像ファイルが収容されているときは、ガイド画像のうち撮影日時の最も古いものを選択し（＃５０４）、そのガイド画像を参考にして撮影した画像のうち最も撮影日時の古いものを選択する（＃５０６）。ここで、ガイド画像がないときには、ガイド画像とする画像として最も撮影日時の古い画像を選択し、その画像を参考にして撮影した画像として、次に撮影日時の古いものを選択する。そして、これらの画像を、ガイド画像表示領域７１と対照画像表示領域７２にそれぞれ表示する（＃５０８）。
【００８５】
次いで、前画像ボタン７１ｂまたは次画像ボタン７１ｃの操作によりガイド画像表示領域７１の画像７１ａの切り替えが指示されたか否かを判定し（＃５１０）、指示されたときは、ガイド画像表示領域７１の画像７１ａを変更し、その変更に応じて、対象画像表示領域７２の画像７２ａを変更する（＃５１２）。その後、前画像ボタン７２ｂまたは次画像ボタン７２ｃの操作により対照画像表示領域７２の画像７２ａの切り替えが指示されたか否かを判定し（＃５１４）、指示されたときは、対照画像表示領域７１の画像７２ａを変更する（＃５１６）。
【００８６】
その後、ガイド画像表示領域７１の画像７１ａと対照画像表示領域７２の画像７２ａに関連付けがなされているか否かを判定する（＃５１８）。画像７１ａと画像７２ａに関連付けがなされていないときは、設定ボタン７３の操作により関連付けの指示がなされたか否かを判定し（＃５２０）、指示がなされないときはステップ＃５１０に戻る。指示がなされたときは、画像７２ａが画像７１ａを参考にして撮影したものであることを示す関連付け情報を作成して、それらの画像ファイルのタグに記録し（＃５２２）、ステップ＃５１０に戻る。
【００８７】
ステップ＃５２０の判定で、画像７１ａと画像７２ａに関連付けがなされているときは、解除ボタン７４の操作により関連付け解除の指示がなされたか否かを判定し（＃５２４）、指示がなされないときはステップ＃５１０に戻る。指示がなされたときは、画像７１ａと画像７２ａの画像ファイルから関連付け情報を削除して（＃５２６）、ステップ＃５１０に戻る。
【００８８】
ステップ＃５１０〜＃５２６の処理を繰り返すことにより、ガイド画像とこれを参考にして撮影した画像の対応関係の変更や、新たな設定（ガイド後付け）を連続して行うことができる。なお、この処理はガイドウインドウ７０を閉じることで終了する。ここでは、ガイド画像表示領域７１に最初に表示する画像として、最も古く撮影された画像を選択するようにしているが、撮像倍率の最も小さい画像をガイド画像表示領域７１に最初に表示するようにしてもよい。
【００８９】
ガイド画像とこれを参考にして撮影した画像の対応関係の変更やガイド後付けの処理を、図１６に示したガイドウインドウ７０で行うことに代えて、図１３に示したアノテーションウインドウ６０をガイドウインドウとして用いて、行うようにしてもよい。また逆に、親画像と子画像の対応関係の変更やアノテーション後付けの処理を、図１３に示したアノテーションウインドウ６０で行うことに代えて、図１６に示したガイドウインドウ７０をアノテーションウインドウとして用いて、行うようにしてもよい。いずれにしても、親画像または親画像とする画像、あるいは、ガイド画像またはガイド画像とする画像が、パーソナルコンピュータ２によって自動的に選択されるため、画像指定のための作業が軽減される。
【図面の簡単な説明】
【００９０】
【図１】第１の実施形態のデジタルカメラの外観を模式的に示す図。
【図２】上記デジタルカメラの構成を模式的に示す図。
【図３】上記デジタルカメラが画像ファイルを記録するメモリカードのフォルダ構成を模式的に示す図。
【図４】上記デジタルカメラがアノテーション撮影モードで表示する画面の例を示す図。
【図５】上記デジタルカメラのアノテーション撮影モードでの処理の流れを示すフローチャート。
【図６】上記デジタルカメラがガイド撮影モードで表示する画面の例を示す図。
【図７】上記デジタルカメラのガイド撮影モードでの処理の流れを示すフローチャート。
【図８】上記デジタルカメラがアノテーション後付けを行うときに表示する画面の例を示す図。
【図９】上記デジタルカメラのアノテーション後付け処理の流れを示すフローチャート。
【図１０】第２の実施形態のパーソナルコンピュータの外観を模式的に示す図。
【図１１】上記パーソナルコンピュータの構成を模式的に示す図。
【図１２】上記パーソナルコンピュータがアノテーション変更および後付けならびにガイド変更および後付けに先だって表示するメインウインドウを示す図。
【図１３】上記パーソナルコンピュータがアノテーション変更および後付けを行うきに表示するアノテーションウインドウを示す図。
【図１４】上記パーソナルコンピュータが表示するアノテーションウインドウの表示例を示す図。
【図１５】上記パーソナルコンピュータのアノテーション変更および後付け処理の流れを示すフローチャート。
【図１６】上記パーソナルコンピュータがガイド変更および後付けを行うきに表示するガイドウインドウを示す図。
【図１７】上記パーソナルコンピュータのガイド変更および後付け処理の流れを示すフローチャート。
【符号の説明】
【００９１】
１    デジタルカメラ
２    パーソナルコンピュータ
１１    撮像レンズ
１２ａ、１２ｂ  光学ファインダ窓
１３    セルフタイマーランプ
１４    フラッシュ発光部
１５    カードスロット
１６    ＵＳＢ／ＡＶ出力端子
１７    シャッターレリーズボタン
１８    電源ボタン
１９    表示部
２０    ズームボタン
２１    方向ボタン
２２    決定ボタン
２３    通常撮影ボタン
２４    アノテーション撮影ボタン
２５    ガイド撮影ボタン
２６    関連設定ボタン
２８    操作部
３１    撮像素子
３２    画像処理部
３３    記録部
３５    制御部
３５ａ  ＣＰＵ
３５ｂ  メモリ
４１    パーソナルコンピュータ本体
４２    表示部
４３    制御部
４４    操作部
４５    記憶部
４６    入出力部
４７    接続部
５０    メインウインドウ
５１    ツリー表示領域
５２    フォルダ・ファイル表示領域
５３    アノテーションウインドウボタン
５４    ガイドウインドウボタン
６０    アノテーションウインドウ
６１    親画像表示領域
６２    対照画像表示領域
６３    親画像指定ボタン
７０    アノテーションウインドウ
７１    ガイド画像表示領域
７１ｂ、７１ｃ  画像切り替えボタン
７２    対照画像表示領域
７２ｂ、７２ｃ  画像切り替えボタン
７３    設定ボタン
７４    解除ボタン
Ｆ    画像枠
Ｍ    メモリカード
Ｐ    ガイド画像
Ｒ    領域枠
【図１】
2006135607.tif 000003
【図２】
2006135607.tif 000004
【図３】
2006135607.tif 000005
【図４】
2006135607.tif 000006
【図５】
2006135607.tif 000007
【図６】
2006135607.tif 000008
【図７】
2006135607.tif 000009
【図８】
2006135607.tif 000010
【図９】
2006135607.tif 000011
【図１０】
2006135607.tif 000012
【図１１】
2006135607.tif 000013
【図１２】
2006135607.tif 000014
【図１３】
2006135607.tif 000015
【図１４】
2006135607.tif 000016
【図１５】
2006135607.tif 000017
【図１６】
2006135607.tif 000018
【図１７】
2006135607.tif 000019